(57)【要約】【目的】  高粘度の塗料や少量の塗料においても精度よく、かつ、安定的に塗料を供給することができる、新しい塗料の供給方法を提供する。【構成】  ダイヤフラムポンプ(1)とギヤポンプ(2)を併用して塗料を供給する方法において、ダイヤフラムポンプ(1)を塗料供給タンク(3)とギヤポンプの塗料吸入口(21)との間の供給配管(4)途上に設け、ダイヤフラムポンプ(1)の吐出圧(V0)をギヤポンプ(2)の吐出圧(V1)よりも高く設定し、吐出圧の高いダイヤフラムポンプ(1)より塗料を吐出させてギヤポンプ(2)に強制的に押し込み、ギヤポンプ(2)より塗料を吐出させて供給することを特徴とする。【選択図】図１
2005152735.tif 000002
【特許請求の範囲】
【請求項１】
ダイヤフラムポンプとギヤポンプを併用して塗料を供給する方法であって、ダイヤフラムポンプを塗料供給タンクとギヤポンプの塗料吸入口との間の供給配管途上に設け、ダイヤフラムポンプの吐出圧をギヤポンプの吐出圧よりも高く設定し、吐出圧の高いダイヤフラムポンプより塗料を吐出させてギヤポンプに強制的に押し込み、ギヤポンプより塗料を吐出させて供給することを特徴とする塗料の供給方法。
【請求項２】
ダイヤフラムポンプの吐出圧をギヤポンプの吐出圧よりも５〜１０％の範囲で高く設定する請求項１記載の塗料の供給方法。
【請求項３】
1台のダイヤフラムポンプに対して、複数台のギヤポンプを設置する請求項１または２記載の塗料の供給方法。
【発明の詳細な説明】
【技術分野】
【０００１】
この出願の発明は、塗料の供給方法に関するものである。さらに詳しくは、この出願の発明は、高粘度の塗料や少量の塗料においても精度よく、かつ、安定的に塗料を供給することができる、新しい塗料の供給方法に関するものである。
【背景技術】
【０００２】
従来、塗料を定量的に供給する方法として、ダイヤフラムポンプを利用して塗料を供給する方法やギヤポンプを利用して塗料を供給する方法等が知られている。
【０００３】
たとえば、ダイヤフラムポンプを利用した塗料の供給方法としては、ダイヤフラムポンプの吐出口側の供給管に脈動防止ダンパーを設置することによって、ダイヤフラムポンプの流量をコントロールして、高粘度の塗料も安定的に供給することのできる供給方法が提案されている（たとえば、特許文献１）。一方、ギヤポンプを利用した塗料の供給方法としては、たとえば、ギヤポンプ、このギヤポンプを回転駆動させるためのサーボモータおよびこのサーボモータを制御する制御部とを備えた塗料吐出装置を利用することによって、より精度の高い定量的な塗料の供給方法が提案されている（たとえば、特許文献２）。
【０００４】
また、たとえば、図４に例示した塗料の供給方法も考慮することができる。この図４に例示した塗料の供給方法では、ダイヤフラムポンプ(ア)またはギヤポンプ(イ)のいずれかを選択して使用している。すなわち、この供給方法は、塗料が収納されている塗料供給タンク(ウ)から供給される塗料を、塗料の粘度や量等に応じて、ダイヤフラムポンプ(ア)またはギヤポンプ(イ)のいずれかのポンプを適宜選択して塗料を供給することができるものである。そして、これらポンプそれぞれの吐出口(エ)側に設けられたレギュレータ(オ)によって、塗料が供給される際の吐出圧（吐出量）を調整して、塗料をスプレーガン等の塗料吐出口(カ)より噴霧、吐出させることができる。なお、図中の(キ)は塗料の吐出圧を測定する圧力計である。
【特許文献１】特開平１０−２８８１６０号公報
【特許文献２】特開２００３−１０７４２号公報
【発明の開示】
【発明が解決しようとする課題】
【０００５】
しかしながら、上記特許文献１記載の塗料供給方法の場合は、吸入力および圧送力の強いダイヤフラムポンプを用いて供給するため、高粘度の塗料でも安定的に吸入および供給することができるが、ギヤポンプのように精度よく塗料の供給を行なうことができず、特に少量の塗料を供給する場合には、吐出側での脈動を抑えることが難しく、精度よく供給することができないという問題があった。一方、特許文献２記載の塗料供給方法の場合は、ギヤの駆動により塗料を精度よく供給することができるが、ダイヤフラムポンプのような強い吸入力および圧送力を有していないため、高粘度の塗料は、ギヤポンプの塗料の吸入口に十分に供給されず、安定的に塗料を吐出させて供給することが困難であるという問題があった。
【０００６】
また、図４に例示した、ダイヤフラムポンプ(ア)またはギヤポンプ(イ)のいずれかを選択して使用する塗料供給方法の場合は、依然として上記それぞれが有する問題があった。
【０００７】
そこでこの出願の発明は、以上のとおりの事情に鑑みてなされたものであって、従来の問題点を解消し、高粘度の塗料や少量の塗料を問わずに精度よく、かつ、安定的に塗料を供給することができる、新しい塗料の供給方法を提供することを課題としている。
【課題を解決するための手段】
【０００８】
この出願の発明は、上記の課題を解決する手段として、第１には、ダイヤフラムポンプとギヤポンプを併用して塗料を供給する方法であって、ダイヤフラムポンプを塗料供給タンクとギヤポンプの塗料吸入口との間の供給配管途上に設け、ダイヤフラムポンプの吐出圧をギヤポンプの吐出圧よりも高く設定し、吐出圧の高いダイヤフラムポンプより塗料を吐出させてギヤポンプに強制的に押し込み、ギヤポンプより塗料を吐出させて供給することを特徴とする塗料の供給方法を提供する。
【０００９】
第２には、ダイヤフラムポンプの吐出圧をギヤポンプの吐出圧よりも５〜１０％の範囲で高く設定する前記の塗料の供給方法を提供する。
【００１０】
また、この出願の発明は、第３には、1台のダイヤフラムポンプに対して、複数台のギヤポンプを設置する前記いずれかの塗料の供給方法を提供する。
【発明の効果】
【００１１】
上記のとおりのこの出願の発明の第１の発明の塗料の供給方法によれば、高粘度の塗料や少量の塗料においても精度よく、かつ、安定的に塗料を供給することができる。
【００１２】
また、第２の発明の塗料の供給方法によれば、上記第１の発明の効果に加え、より効果的に精度よく、かつ、安定的に塗料を供給することができる。
【００１３】
そして、第３の発明の塗料の供給方法によれば、上記第１および第２の発明の効果に加え、複数のギヤポンプにおいても、精度よく、かつ、安定的に塗料を供給することができる。
【発明を実施するための最良の形態】
【００１４】
この出願の発明は上記のとおりの特徴をもつものであるが、以下、その実施の形態について詳しく説明する。
【００１５】
図１は、この出願の発明の一実施形態を概略的に例示した模式図である。
【００１６】
この図１に沿って説明すると、この出願の発明の塗料の供給方法は、塗料の吸入力および圧送力の強いダイヤフラムポンプ(1)を圧送用ポンプとして用い、また、供給精度の優れたギヤポンプ(2)を定量送液ポンプとして併用することによって塗料を精度よく、かつ、安定的に供給する方法である。具体的には、このダイヤフラムポンプ(1)は、塗料供給タンク(3)とギヤポンプ(2)の塗料吸入口(21)との間の供給配管(4)途上に設けられていることを特徴としている。このダイヤフラムポンプ(1)により塗料供給タンク(3)から高粘度の塗料であっても、十分量の塗料を吸入することができ、そして、吸入した塗料を吐出圧の高いダイヤフラムポンプ(1)より吐出させて、ギヤポンプ(2)に強制的に押し込んで圧送している。この時、ダイヤフラムポンプ(1)の吐出圧(V0)（吐出量）がギヤポンプ(2)の総吐出圧(V1+V2+・・・+Vn)（総吐出量）よりも高いという関係を保持することのできる範囲で、ダイヤフラムポンプ(1)の吐出圧(V0)をギヤポンプ(2)の総吐出圧(V1+V2+・・・+Vn)（総吐出量）よりも高く設定することにより、高粘度の塗料や少量（およそ、５０ｇから２００ｇ／ｍｉｎ）の塗料等という塗料の粘度や量等を問わずに、塗料を安定的にギヤポンプ(2)へ供給することができる。そして、供給された塗料は、ギヤポンプ(2)の特性である精度の高い吐出性を確保しつつ、ギヤポンプ(2)より吐出させてスプレーガン等の塗料吐出口(5)へ圧送して供給し、スプレーガン等の塗料吐出口(5)より精度よく、かつ、安定的に吐出・噴霧することができる。
【００１７】
なお、図１の例示のとおり、ギヤポンプ(2)と塗料吐出口(5)との間の供給配管(4)に、レギュレータ(6)を設置することにより、ギヤポンプ(2)の吐出圧（吐出量）を制御することもできる。また、図１の例では、塗料の吐出圧を測定するために圧力計(7)も設置されている。
【００１８】
そして、ダイヤフラムポンプ(1)の吐出圧(V0)についてさらに説明すると、ダイヤフラムポンプ(1)の吐出圧(V0)（吐出量）がギヤポンプ(2)の総吐出圧(V1+V2+・・・+Vn)（総吐出量）よりも５〜１０％の範囲で高く設定することにより、図１のように、1台のダイヤフラムポンプ(1)に対して、複数台のギヤポンプ(2)を設置することも可能としている。なお、この出願の発明は、図には示していないが、１台のダイヤフラムポンプ(1)と１台のギヤポンプ(2)とを上記吐出圧の関係を有するように対にし、かつ、このダイヤフラムポンプ(1)とギヤポンプ(2)との対を複数設置して実施することもできる。
【００１９】
また、図２は、この出願の発明において用いることができるダイヤフラムポンプ(1)の一例を示した断面図であり、図３は、この出願の発明において用いることができるギヤポンプ(2)の一例を示した断面図である。
【００２０】
この図２に一例として示したダイヤフラムポンプ(1)は、モーター等の駆動装置(図示せず)によって駆動部(11)が矢印Ａに示しているように回転駆動して、これにともなって、駆動部(11)と連結している支持棒(12)が、ゴム材等からなる膜板(13)とともに矢印Ｂに示したように駆動して、ダイヤフラムポンプ(1)の内部(14)への圧力負荷を制御することができる。その結果、ダイヤフラムポンプ(1)の内部(14)へ塗料を吸入することができ、または、ダイヤフラムポンプ(1)の内部(14)の塗料を矢印Ｃに示したとおり、圧送することができる。
【００２１】
そして、ギヤポンプ(2)の一例としては、図３に例示したとおり、ダイヤフラムポンプ(1)から圧送された塗料は、ギヤポンプ(2)の内部(23)へ矢印Ａに示したとおりに供給される。ギヤポンプ(2)の内部(23)に備えられている１対のギヤ部(22)は、たとえば、矢印Ｂに示した方向にモーター等の駆動装置(図示せず)によって規則的に回転駆動させることができ、その結果、矢印Ｃに示した方向、すなわち、ギヤポンプ(2)の外部（スプレーガン等の塗料吐出口）へ、塗料を精度よく供給、送液することができる。
【００２２】
なお、ダイヤフラムポンプ(1)やギヤポンプ(2)は、以上の例示に限られることはなく、この出願の発明の塗料の供給方法に用いることができるのであれば、そのタイプや構造等、その細部の形態は、特に制限されるものではない。
【産業上の利用可能性】
【００２３】
以上詳しく説明したとおり、この出願の発明によって、高粘度の塗料や少量の塗料においても精度よく、かつ、安定的に塗料を供給することができる、新しい塗料の供給方法が提供される。
【図面の簡単な説明】
【００２４】
【図１】この出願の発明の一実施形態を概略的に例示した模式図である。
【図２】この出願の発明に用いることのできるダイヤフラムポンプの一例を模式的に示した断面図である。
【図３】この出願の発明に用いることのできるギヤポンプの一例を模式的に示した断面図である。
【図４】従来における塗料の供給方法を概略的に例示した模式図である。
【符号の説明】
【００２５】
1  ダイヤフラムポンプ
11  駆動部
12  支持棒
13  膜板
14  内部
2  ギヤポンプ
21  塗料吸入口
22  ギヤ部
23  内部
3  塗料供給タンク
4  供給配管
5  塗料吐出口
6  レギュレータ
7  圧力計
V0  ダイヤフラムポンプの吐出圧
V1、V2、Vn  ギヤポンプの吐出圧
ア  ダイヤフラムポンプ
イ  ギヤポンプ
ウ  塗料供給タンク
エ  吐出口
オ  レギュレータ
カ  塗料吐出口
キ  圧力計
【図１】
2005152735.tif 000003
【図２】
2005152735.tif 000004
【図３】
2005152735.tif 000005
【図４】
2005152735.tif 000006